(57)【要約】　　　（修正有）【課題】木造建築骨組構造の免震、制震補強装置を提供する。【解決手段】布基礎１１（連続基礎）、複合基礎、独立基礎等の基礎の内部にトラス支承の機能をもたしたゴムダンパーのを植込み、木造建築脚部を支え、地盤より押し寄せる外力、主として地震力を弾性ゴムで減衰吸収させる。【選択図】図１
2004084450.tif 000002
【特許請求の範囲】
【請求項１】
絶縁トラス、ゴムダンパーは（図１の２）（図１の３）のとおり、本体の構成は裏面凹凸のあるフランジプレートをつけた外側、中側のＴ形鋼管軸に鍔状リングをとりつけ、その外軸、中軸に半永久的に劣化しない硬質ゴム又は硬質合成樹脂の弾性体を（図１の１）のようにライニングし上向きフランジプレートつき外軸中央の鋼管穴に板バネをすみ肉溶接した（図３の３）の中軸を挿入し、絶縁２重積層ゴムダンパーをつくる。
このゴムダンパーを鉄筋コンクリート布基礎造成過程で型枠に生コンクリートを注入する時、裏側に辷べり止め凹凸面のあるフランジプレートを下面にして（図２の２）（図２の３）のとおり植込み埋設する。時間が経過すれば生コンクリートが凝固して硬化する。そしてゴムダンパーの外軸ゴムがコンクリート布基礎とゴムダンパー金属部の間にはさまれてサンドイッチ状になり、外圧荷重に対して抜けなくなる。このことはトラス基礎の支承も又弾力性をもって固定出来、荷重に対して抜けなくなることである。
この絶縁トラス、ゴムダンパーおよび装置
【請求項２】
木造建築脚部を支える支承の外軸、中軸鋼管は地震のＳ波振動（横波水平荷重）に対する面の坑力面積が大きく、表面に弾力ゴムを張りつけることで絶縁、抵抗、摩擦により振動のショックを減衰しやわらげる仕事をする。
中軸の一端固定一端自由の独楽型縦足長振動鋼管は軸方向と伸縮する縦振動、軸のまわりのねじれ振動、横方
2004084450.tif 000003
線に向って作用する。
従って中軸は金属製リング（図１の２）のようにとりつけ、表軸面をスプリングバネで固めたゴムをライニングし、鋼管の狭いすきまだけを残して地震の振動時に動くように装置し、中軸が両端固定の外軸内壁面を摩擦すれば、運動エネルギーを摩擦エネルギーと転換出来、さらに空気の粘性抵抗、地震波の応力抵抗にも有効に免震、制震の働きをする。
この両端固定の外軸と一端固定の中軸の振動差摩擦を利用し、地震の運動エネルギーを摩擦エネルギーより熱エネルギーに交換して、大気中に放熱する絶縁トラス、ゴムダンパーおよび装置。
【請求項３】
上向角形フランジは、布基礎の天場と土台木に見合うよう形をそろわし、土台木締付部材は土台木の縦断面の形にあわしたハット形鋼（図１）１と、布基礎に密着したトラス、ゴムダンパーをボルト締め緊結する。
ハット形鋼のボルト穴、トラス軸組取付けのガセットプレート（図４−１，２，３，４）で土台木、柱、斜材がボルト締により頑丈に固定出来、さらに（図１）のように固定したゴムダンパーは、又フランジボルトを外し布基礎外側のおさえぶたのボルトを外せば容易にとり去り、別のゴムダンパーと交換も出来る。
この絶縁、トラス、ゴムダンパおよび装置
【発明の詳細な説明】
【０００１】
【産業上の利用分野】
この発明は木造建築骨組構造の免震制震補強のための、絶縁トラス、ゴムダンパー及び装置でありその製造方法に関するものである。
【０００２】
【従来の技術】
在来工法、枠組壁工法が考えられるが地震力、風動による水平力に対しては、単位骨組または耐力壁を設けて抵抗させ、一定の長さの筋かい、火打、方づえまたは力壁を張り間方向、けた行方向に入れ、柱の下部には土台木を設け、土台木は鉄筋コンクリートの布基礎にアンカーボルトと緊結する方法が主流で、鉛直荷重については各壁組、骨組に均等に重量荷重がかかり、筋かいや耐力壁を平面的立面的とつり合いよく配置し、建物全体を水平トラス思考で布基礎もひっくるめて一体になるように考えられる。従って、建築物脚部土台木はアンカーボールにて布基礎に頑丈に緊結されている訳である。
【０００３】
【発明が解決しようとする課題】
従来の技術は次のような欠点があった。
土台木と鉄筋コンクリート布基礎が平均２ｍに１本の割合で鉄筋アンカーボルトで頑丈に緊欠されており、本文従来の技術のとおり力による耐震工法が主体であるため、布基礎が動けば建築物も又、動いて揺れ、結果的に土台木に左用反作用の加重が集中してかかり建築している木柱が梃子の働きをして土台木のホゾ穴をゆるめひび割れホゾ折れをおこしている。このことは、土台木と建物全体に地震の衝撃と振動を吸収する弾力的余裕がなく、やがて家屋全体が破壊することを示唆するものであり、特にＳ波振動のねじれ横揺れの影響は大きい。
【０００４】
【課題を解決するための手段】
土台木を固定する絶縁トラス、ゴムダンパーを請求項１のとおり、鉄筋コンクリート布基礎に鋼管を長くして植込めば地震のＳ波振動での横波水平荷重より絶縁の抵抗、摩擦による振動のショックを減衰しやわらげることが出来る。具体的にはゴムの弾性力と土台木の弾力性が家屋全体のトラス機能を効果に発揮することが出来る。
【０００５】
【作　用】
木造建築骨組構造の免震制震補強のためのトラス、ゴムダンパーの装置で水平方向のＳ波の横ゆれが、弾性体とその装置で衝撃振動の振幅を大巾に抑止し、木造建築全体の土台木を浮きあがらせ土台木のしなりとバネ性で、地震の衝撃と波打ちながら水平に走るねじれ振動を家屋全体の土台木がうけいれ、トラス、ゴムダンパーが振動を絶縁吸収分散するもので、土台木のホゾ割れ、ホゾゆるみ、木柱の従割れ、ねじれホゾ折れ等による土台木はずれを防止し、ハット形鋼フランジ取付けと、トラス斜長ガセットが、引張り荷重に弱い木柱ジョイント部を強力に補強するものである。
【０００６】
【実施例】
０００５のトラス、ゴムダンパー及び装置の弾性効果が確認され振動より絶縁された土台木のしなりとバネが有効に作用し木造建築トラス構造の下弦材として土台木が充分に働いた。
部材金具のトラス、取付ガゼット、ハツト形鋼フランジ取付け、ゴムダンパー、フーチング基礎カバーともに良好であった。
【０００７】
【発明の効果】
トラス、ゴムダンパーの絶縁弾性効果により　１．土台木のホゾが割れがない、折れないので木柱の強度が補強された。２．土台木にアンカーボルト穴がないので縦ひび割れがなくなった。３．木造建築物の脚部がゆるまないので、木柱の釘づけ部分、壁板の釘づけ部分がゆるまない。
これらは具体的な効果の実施例であるがトラス、ゴムダンパーの取はずし鋼管が連立布基礎単独布基礎にも使用出来るので、木造家屋の耐用年数が延長され希望が持てるようになった。
【図面の簡単な説明】
【図１】１．鉄筋コンクリート布基礎にトラス、ゴムダンパーを植込み土台木をゴムダンパー外軸フランジに高カネジ締めをした縦断面図である。
２．ゴムダンパー外軸の縦断面図・フランジプレート部分は平面図である。
（平面図の鋼管部分と中軸鋼管を挿入した図である。）
３．ゴムダンーパー中軸の縦断面図、プレートは平面図
【図２】１．図１の１斜線コンクリート押え蓋斜視図。ボルトネジでコンクリート布基礎に緊結する。
２．３、ゴムダンパー外軸、中軸裏側の滑り止めで地震の作用の振動を鋼管よりプレートへ、プレートよりトラス骨組へ必反作用の振動を木柱よりプレートへ、プレートより鋼管へ伝達する役割をする。
【図３】１．ハット型土台木締付部材（上面の短冊穴は木柱のホゾ穴である。）
２．外軸鋼管。フランジ部分にネジ穴
【図１】８個あり
３．中軸鋼管。フランジ部分にネジ穴
【図１】８個あり
【図４】１．トラス支柱斜長木　下弦ガゼット
２．トラス支柱斜長木　上弦ガゼット
【図５】１．独立基礎支柱取付部材、直接トラスゴムダンパーフランジ部にネジ止め
２．独立基礎斜長木取付部材（軽量鉄骨用）
【図６】１．トラス、ゴムダンパー骨組構造の図
注：トラス、ゴムダンパーの取りはずし交換は、フランジプレートと押えぶたのボルトネジをはずし連立不基礎と土台木の間のすきまに、ジャッキの受け皿を入れて上昇さすと容易に交換が可能である。
【符号の説明】
１．ハット形鋼土台木固定金具
２．土台木縦断面
３．フランジネジ止め
４．中軸フランジプレート
５．中軸ゴムプレート
６．外軸フランジ
７．外軸ゴムプレート
８．コンクリート押えぶた
９．トラス、ゴムダンパーゴムライニング縦断面図
１０．コンクリート押えぶたの固定ボトルとネジ
１１．鉄筋コンクリート布基礎
１２．外軸フランジ、プレート
１３．外軸鍔状リング
１４．外軸ライニングゴム
１５．布基礎外側おさえぶたのボルト穴
１６．中軸バネプレート
１７．中軸、プレート
１８．外軸プレート裏側ゴムの辷べり止めつき
１９．中軸プレート裏側　　　　〃
２０．中軸ライニングゴム
【図１】
2004084450.tif 000004
【図２】
2004084450.tif 000005
【図３】
2004084450.tif 000006
【図５】
2004084450.tif 000007
【図６】
2004084450.tif 000008
【手続補正書】
【提出日】平成14年12月24日(2002.12.24)
【手続補正１】
【補正対象書類名】図面
【補正対象項目名】全図
【補正方法】変更
【補正の内容】
【図１】
2004084450.tif 000009
【図２】
2004084450.tif 000010
【図３】
2004084450.tif 000011
【図４】
2004084450.tif 000012
【図５】
2004084450.tif 000013
【図６】
2004084450.tif 000014